(57)【要約】【課題】バッテリパックを提供する。【解決手段】バッテリセルと、バッテリセルが装着される組立開口を有するフレームとを含み、組立開口のエッジは、バッテリセルの側面に接触し、バッテリセルのラウンド状の側面に対応する面を有する支持部を含むバッテリパックである。これにより、バッテリセルの支持構造を改善することによって、構成部品の個数及び組立工数を減らし、薄型化に有利なバッテリパックが提供される。【選択図】図５Ａ
2014236003.tif 000002
【特許請求の範囲】
【請求項１】
バッテリセルと、
前記バッテリセルが装着される組立開口を有するフレームと、を含み、
前記組立開口のエッジは、前記バッテリセルの側面に接触し、前記バッテリセルのラウンド状の側面に対応する面を有する支持部を含むことを特徴とするバッテリパック。
【請求項２】
前記支持部は、組立開口に向かって延びた突出部材を含み、前記突出部材は、テーパ断面を有することを特徴とする請求項１に記載のバッテリパック。
【請求項３】
前記突出部材は、前記バッテリセルと重畳されることを特徴とする請求項２に記載のバッテリパック。
【請求項４】
前記突出部材は、前記バッテリセルの側面の長手方向に延びることを特徴とする請求項２に記載のバッテリパック。
【請求項５】
前記バッテリセルは、互いに対面する第１側部及び第２側部と、互いに対面する第３側部及び第４側部とを含む長方形に形成され、
前記バッテリセルは、第３及び第４側部でラウンド状の曲面を有することを特徴とする請求項１に記載のバッテリパック。
【請求項６】
前記組立開口は、前記バッテリセルの第３及び第４側部と接触する支持部を含み、
各支持部は、前記バッテリセルの第３及び第４側部のラウンド状の曲面と対応するラウンド状の曲面を有することを特徴とする請求項５に記載のバッテリパック。
【請求項７】
前記バッテリセルは、ゼリーロール状に巻き取られた電極組立体を含み、
前記電極組立体は、前記バッテリセルの第３及び第４側部に対応するラウンド状の曲面を有し、
前記支持部のラウンド状の曲面は、電極組立体のラウンド状の曲面と類似した曲面を有することを特徴とする請求項６に記載のバッテリパック。
【請求項８】
前記支持部のラウンド状の曲面は、組立開口に向かって延びた突出部材を形成し、各突出部材は、テーパ断面を有し、
前記突出部材は、前記バッテリセルの第３及び第４側部のラウンド状の側面を外れて延びないことを特徴とする請求項６に記載のバッテリパック。
【請求項９】
前記バッテリセルは、ポーチ内に収容された電極組立体を含み、
前記電極組立体は、互いに対向するラウンド状の曲面を有するゼリーロール状に巻き取られ、
前記ポーチは、前記電極組立体のラウンド状の曲面に対応する前記バッテリセルの第３及び第４側部でラウンド状の曲面を有し、
前記ポーチは、前記バッテリセルの第１、第３及び第４側部で接合部を含み、前記接合部は、ポーチをシーリングし、
前記第３及び第４側部の接合部は、電極組立体のラウンド状の曲面に沿って折り曲げられ、前記接合部は、支持部の曲面に沿ってラウンド状に変形されることを特徴とする請求項５に記載のバッテリパック。
【請求項１０】
前記バッテリセルの第３及び第４側部のラウンド状の曲面は、フレームの厚さと実質的に同じ高さを有し、
前記組立開口は、前記バッテリセルの第３及び第４側部のラウンド状の曲面に対応するラウンド状の曲面を有し、
前記支持部のラウンド状の曲面は、前記バッテリセルのラウンド状の曲面と重畳されることを特徴とする請求項５に記載のバッテリパック。
【請求項１１】
前記フレームは、複数の前記バッテリセルを収容する複数の組立開口を含み、
各組立開口は、前記バッテリセルの側面に対応する面を有する支持部を含むことを特徴とする請求項１に記載のバッテリパック。
【請求項１２】
前記フレームは、保護回路モジュールが装着され、フレームの中央位置に配置される回路載置部を含み、
前記フレームは、回路載置部の両側に形成され、複数の前記バッテリセルを収容する複数の組立開口を含み、
前記保護回路モジュールは、複数の前記バッテリセルそれぞれと電気的に連結されることを特徴とする請求項１に記載のバッテリパック。
【請求項１３】
前記バッテリセルは、電極タブが引き出される第１側部を含み、
前記保護回路モジュールは、前記バッテリセルの第１側部に沿って延びており、電極タブに電気的に連結されたリードプレートに連結されることを特徴とする請求項１２に記載のバッテリパック。
【請求項１４】
前記保護回路モジュールの一側に配置された前記バッテリセルは、第１リードプレートにより互いに連結され、
前記保護回路モジュールの他側に配置された前記バッテリセルは、第２リードプレートにより互いに電気的に連結されることを特徴とする請求項１３に記載のバッテリパック。
【請求項１５】
前記組立開口は、前記バッテリセルの厚さと実質的に同じ高さを有することを特徴とする請求項１に記載のバッテリパック。
【請求項１６】
前記組立開口は、前記バッテリセルの少なくとも三つの側部に対応する支持部を含むことを特徴とする請求項１に記載のバッテリパック。
【請求項１７】
前記組立開口は、フレームを貫通し、前記バッテリセルは、フレームの両側で組立開口により露出される主面を有することを特徴とする請求項１に記載のバッテリパック。
【請求項１８】
前記組立開口は、前記バッテリセルの厚さ方向に沿って、曲面部分と非曲面部分とを含むことを特徴とする請求項１に記載のバッテリパック。
【請求項１９】
絶縁プレートをさらに含み、
前記バッテリセルは、支持部と絶縁プレートとの間で、組立開口内に固定されることを特徴とする請求項１８に記載のバッテリパック。
【請求項２０】
前記フレームは、複数の前記バッテリセルが装着される複数の組立開口を含み、
前記絶縁プレートは、複数の前記バッテリセルを横切って配置されることを特徴とする請求項１９に記載のバッテリパック。
【発明の詳細な説明】
【技術分野】
【０００１】
本発明は、バッテリパックに関する。
【背景技術】
【０００２】
無線インターネットや通信技術の発達によって、電源供給装置なしに、バッテリを使用して運用可能なタブレットＰＣやノート型パソコンのような携帯用コンピュータの普及が目ざましい。一般的に、携帯用コンピュータは、小型かつ携帯が簡便であり、移動性に優れるという長所があるので、業務用または個人用に広く使われている。
【０００３】
一方、携帯用コンピュータが、外部の電源供給装置にかかわらず、色々な場所で自由に使われるために、携帯用コンピュータには、内蔵型のバッテリパックが備えられる。当該バッテリパックは、充放電が可能な複数のバッテリセルを電気的に結束してモジュール化させることによって、大容量及び高出力の電源供給装置を形成できる。  そして、複数のバッテリセルを構造的に支持し、それらを一つのパック形態に結束するための支持構造を含む。
【発明の概要】
【発明が解決しようとする課題】
【０００４】
本発明の目的は、バッテリセルの支持構造を改善することによって、構成部品の個数を減らし、組立工数を減らすバッテリパックを提供することにある。
本発明の他の目的は、バッテリセルの支持構造を改善することによって、薄型化に有利なバッテリパックを提供することにある。
【課題を解決するための手段】
【０００５】
前記目的を達成するために、本発明のバッテリパックは、バッテリセルと、前記バッテリセルが装着される組立開口を有するフレームとを含み、前記組立開口のエッジは、バッテリセルの側面に接触し、バッテリセルのラウンド状の側面に対応する面を有する支持部を含む。
【０００６】
例えば、前記支持部は、組立開口に向かって延びた突出部材を含み、前記突出部材は、テーパ断面を有する。
例えば、前記突出部材は、バッテリセルと重畳される。
例えば、前記突出部材は、バッテリセルの側面の長手方向に延びる。
例えば、前記バッテリセルは、互いに対面する第１側部及び第２側部と、互いに対面する第３側部及び第４側部とを含む長方形に形成され、前記バッテリセルは、第３及び第４側部でラウンド状の曲面を有する。
【０００７】
例えば、前記組立開口は、バッテリセルの第３及び第４側部と接触する支持部を含み、各支持部は、バッテリセルの第３及び第４側部のラウンド状の曲面と対応するラウンド状の曲面を有する。
【０００８】
例えば、バッテリセルは、ゼリーロール状に巻き取られた電極組立体を含み、前記電極組立体は、バッテリセルの第３及び第４側部に対応するラウンド状の曲面を有し、支持部のラウンド状の曲面は、電極組立体のラウンド状の曲面と類似した曲面を有する。
【０００９】
例えば、支持部のラウンド状の曲面は、組立開口に向かって延びた突出部材を形成し、各突出部材は、テーパ断面を有し、前記突出部材は、バッテリセルの第３及び第４側部のラウンド状の側面を外れて延びない。
【００１０】
例えば、前記バッテリセルは、ポーチ内に収容された電極組立体を含み、前記電極組立体は、互いに対向するラウンド状の曲面を有するゼリーロール状に巻き取られ、前記ポーチは、前記電極組立体のラウンド状の曲面に対応するバッテリセルの第３及び第４側部でラウンド状の曲面を有し、前記ポーチは、バッテリセルの第１、第３及び第４側部で接合部を含み、前記接合部は、ポーチをシーリングし、前記第３及び第４側部の接合部は、電極組立体のラウンド状の曲面に沿って折り曲げられ、前記接合部は、支持部の曲面に沿ってラウンド状に変形される。
【００１１】
例えば、前記バッテリセルの第３及び第４側部のラウンド状の曲面は、フレームの厚さと実質的に同じ高さを有し、前記組立開口は、バッテリセルの第３及び第４側部のラウンド状の曲面に対応するラウンド状の曲面を有し、前記支持部のラウンド状の曲面は、バッテリセルのラウンド状の曲面と重畳される。
【００１２】
例えば、前記フレームは、複数のバッテリセルを収容する複数の組立開口を含み、各組立開口は、バッテリセルの側面に対応する面を有する支持部を含む。
例えば、前記フレームは、保護回路モジュールが装着され、フレームの中央位置に配置される回路載置部を含み、前記フレームは、回路載置部の両側に形成され、複数のバッテリセルを収容する複数の組立開口を含み、前記保護回路モジュールは、複数のバッテリセルそれぞれと電気的に連結される。
【００１３】
例えば、前記バッテリセルは、電極タブが引き出される第１側部を含み、前記保護回路モジュールは、前記バッテリセルの第１側部２１０に沿って延びており、電極タブに電気的に連結されたリードプレートに連結される。
例えば、前記保護回路モジュールの一側に配置されたバッテリセルは、第１リードプレートにより互いに連結され、前記保護回路モジュールの他側に配置されたバッテリセルは、第２リードプレートにより互いに電気的に連結される。
【００１４】
例えば、前記組立開口は、バッテリセルの厚さと実質的に同じ高さを有する。
例えば、前記組立開口は、バッテリセルの少なくとも三つの側部に対応する支持部を含む。
例えば、前記組立開口は、フレームを貫通し、前記バッテリセルは、フレームの両側で組立開口により露出される主面を有する。
【００１５】
例えば、前記組立開口は、バッテリセルの厚さ方向に沿って、曲面部分と非曲面部分とを含む。
例えば、前記バッテリパックは、絶縁プレートをさらに含み、前記バッテリセルは、支持部と絶縁プレートとの間で、組立開口内に固定される。
例えば、前記フレームは、複数のバッテリセルが装着される複数の組立開口を含み、前記絶縁プレートは、複数のバッテリセルを横切って配置される。
【発明の効果】
【００１６】
本発明によれば、フレーム本体から一体的に形成された支持部を通じて、バッテリセルを支持することによって、バッテリセルの位置固定のための別途のテープ部材が不要になり、かつ作業性が低下するテーピング工程を省略することができる。また、フレーム本体からラウンド状の曲線状に突出する支持部を形成することによって、薄型化に有利なバッテリパックが提供される。
【図面の簡単な説明】
【００１７】
【図１】本発明の一実施形態によるバッテリパックの分解斜視図である。
【図２】図１のバッテリパックのうち、バッテリセルを抜粋して示す斜視図である。
【図３】図２のＩＩＩ−ＩＩＩ線の断面図である。
【図４】図１に示したフレームの反対側を示す分解斜視図である。
【図５Ａ】図１のＶ−Ｖ線の断面図であって、フレームとバッテリセルの組立を説明するための図面である。
【図５Ｂ】図１のＶ−Ｖ線の断面図であって、フレームとバッテリセルの組立を説明するための図面である。
【図６】本発明と対比されるバッテリパックを示す断面図である。
【図７】本発明と対比される他のバッテリパックを示す断面図である。
【発明を実施するための形態】
【００１８】
以下、添付された図面を参照して、本発明の望ましい実施形態に係るバッテリパックについて説明する。
図１は、本発明の一実施形態によるバッテリパックの分解斜視図である。図２は、図１のバッテリパックのうち、バッテリセルを抜粋して示す斜視図であり、図３は、図２のＩＩＩ−ＩＩＩ線の断面図である。
【００１９】
図１を参照すれば、前記バッテリパックは、バッテリセル２００と、前記バッテリセル２００を支持するフレーム１００と、前記バッテリセル２００と共に、フレーム１００上に支持され、前記バッテリセル２００の充放電動作を制御するための保護回路モジュール４００と、を含む。
【００２０】
図２及び図３を参照すれば、前記バッテリセル２００は、電極組立体２５０と、前記電極組立体２５０を密封するポーチ２０５と、を含む。
前記電極組立体２５０は、例えば、正極活物質が塗布された正極板と、負極活物質が塗布された負極板と、正極板と負極板との間に介在されたセパレータとを積層した後、それらの積層体をゼリーロール状に巻き取って製作される。それと異なり、前記電極組立体２５０は、正極板、セパレータ及び負極板を順次に複数回積層して製作されることも可能である。
【００２１】
前記電極組立体２５０には、異なる極性の第１及び第２電極タブ２１１，２１２が連結される。前記第１及び第２電極タブ２１１，２１２は、バッテリセル２００の第１側部２１０を通じて外部に引き出され、後述するように、保護回路モジュール４００と電気的に連結される。
【００２２】
前記ポーチ２０５は、溶融接合により形成された一対の側面羽根部２０１を含む。前記一対の側面羽根部２０１は、バッテリセル２００の側部２３０，２４０に配置される。例えば、一対の側面羽根部２０１は折り曲げられ、バッテリセル２００の側部２３０，２４０に配置される。
【００２３】
前記バッテリセル２００は、フレーム１００と対向する一面、及び前記一面と対面する他面を含む二つの主面と、前記主面間の側部２１０，２２０，２３０，２４０とを含むほぼ六面体状に形成される。
【００２４】
例えば、前記側部２１０，２２０，２３０，２４０は、バッテリセル２００の側面とコーナー部とを含む広い意味として使われる。より具体的には、バッテリセル２００の側部２１０，２２０，２３０，２４０は、電極タブ２１１，２１２が引き出される第１側部２１０と、前記第１側部２１０の反対側に形成された第２側部２２０と、前記第１及び第２側部２１０，２２０の間で並んで延びる第３及び第４側部２３０，２４０とを含む。
【００２５】
例えば、バッテリセル２００の第３及び第４側部２３０，２４０は、ラウンド状のコーナー部Ｃを含む。例えば、バッテリセル２００の第３及び第４側部２３０，２４０は、ほぼ楕円状に巻き取られた電極組立体２５０のコーナーの形状に沿って、曲面状に形成される。より具体的には、前記ラウンド状のコーナー部Ｃは、第３及び第４側部２３０，２４０で、折曲ポイントＰからの遠距離側のコーナーを形成する。例えば、折曲ポイントＰからの近距離側のコーナーは、側面羽根部２０１の形成のために、角張った折り曲げられた形状を有する。
【００２６】
図１に示すように、前記フレーム１００は、全体のバッテリパックの骨格を形成し、バッテリセル２００と、保護回路モジュール４００とを支持する機能を行う。
前記フレーム１００は、少なくとも二つ以上の複数のバッテリセル２００を支持する。  図１に示した実施形態において、複数のバッテリセル２００は、互いに並んで配置され、各バッテリセル２００から引き出された電極タブ２１１，２１２は、平行な方向に延びて、フレーム１００の一側で集合される。ただし、本発明の他の実施形態において、複数のバッテリセル２００が二つずつ対をなし、対をなす二つのバッテリセル２００から、互いに対向する方向に電極タブ２１１，２１２が引き出されるように、複数のバッテリセル２００が対向する方向に配列されることも可能である。
【００２７】
前記フレーム１００には、バッテリセル２００を収容するための組立開口Ｇが形成される。前記組立開口Ｇは、上下両面に開放されたホール状に形成され、全体のバッテリパックの薄型化及び軽量化に寄与できる。
【００２８】
図４は、図１に示したフレームの反対側を示す図面である。図４に示すように、前記フレーム１００には、保護回路モジュール４００を収容するための回路載置部Ｂが形成される。前記回路載置部Ｂは、保護回路モジュール４００と対応する形状の凹溝として形成される。
【００２９】
例えば、前記回路載置部Ｂは、フレーム１００のほぼ中央位置に形成され、回路載置部Ｂを基準として両側に組立開口Ｇが形成される。保護回路モジュール４００は、複数のバッテリセル２００と電気的に連結されるので、中央位置に配置されて電気的な連結パスを減らすことができる。
【００３０】
前記組立開口Ｇ及び回路載置部Ｂは、フレーム１００を横切って延びる隔壁１０１によりそれぞれ個別的に分離された形態に形成され、各組立開口Ｇ及び回路載置部Ｂに収容されたバッテリセル２００と保護回路モジュール４００は、互いに隣接した構成との機械的な干渉を避けることができ、電気的に絶縁される。
【００３１】
一方、前記フレーム１００には、強度補強部１２０が形成される。前記強度補強部１２０は、複数のリブを含み、例えば、フレーム平面上で一方向に沿って並んで延びる複数のリブを含む。前記強度補強部１２０は、全体フレームの重量を低減しつつも、撓みや曲げ変形に抵抗できる十分な機械的な剛性を提供できる。一方、前記フレーム１００は、絶縁性樹脂を素材として射出成形により形成される。
【００３２】
図１及び図４に示すように、前記フレーム１００は、第１面１００ａと、第２面１００ｂとを含み、例えば、前記バッテリセル２００は、フレーム１００の第１面１００ａから組み立てられ、前記保護回路モジュール４００は、フレーム１００の第２面１００ｂから組み立てられる。ただし、本発明は、それに限定されず、前記バッテリセル２００及び保護回路モジュール４００は、共にフレーム１００の第１面１００ａまたは第２面１００ｂから組み立てられることも可能である。
【００３３】
図１を参照すれば、前記フレーム１００は、組立開口Ｇが形成されたフレーム本体１１０と、フレーム本体１１０から組立開口Ｇに向かって突出して、バッテリセル２００のエッジを支持する支持部１５０とを含む。
【００３４】
例えば、前記支持部１５０は、バッテリセル２００の側部２３０，２４０を支持して、バッテリセル２００が組立開口Ｇを通じて落ちないように支持する。前記組立開口Ｇは、上下両面に開放されたホール状に形成され、ホール状の組立開口Ｇを通じてバッテリセル２００が落ちないように、フレーム本体１１０から突出した支持部１５０を形成する。
【００３５】
例えば、前記支持部１５０は、バッテリセル２００の一側部２１０，２２０，２３０，２４０を取り囲むように形成される。前記バッテリセル２００は、電極タブ２１１，２１２が引き出される第１側部２１０と、前記第１側部２１０の反対側に形成された第２側部２２０と、前記第１及び第２側部２１０，２２０の間で並んで延びる第３及び第４側部２３０，２４０とを含む。ここで、前記支持部１５０は、電極タブ２１１，２１２が引き出される第１側部２１０を除いた残りの第２ないし第４側部２２０，２３０，２４０のうち少なくともいずれか一側部を取り囲むように、バッテリセル２００の側部２２０，２３０，２４０と対向する組立開口Ｇの側部に形成される。
【００３６】
本発明の一実施形態において、前記支持部１５０は、バッテリセル２００の両側部２３０，２４０を取り囲むように、バッテリセル２００の両側部２３０，２４０と平行な方向に沿って延びる。より具体的には、前記支持部１５０は、前記バッテリセル２００の第３及び第４側部２３０，２４０を取り囲むように、バッテリセル２００の第３及び第４側部２３０，２４０に沿って並んで延びる。
【００３７】
また、前記支持部１５０は、バッテリセル２００の第２、第３及び第４側部２２０，２３０，２４０と対向する組立開口Ｇの三つの側部に沿って延びることもできる。すなわち、図１に示すように、前記支持部１５０は、バッテリセル２００の第２側部２２０に沿って延びる追加支持部１５０ａをさらに含む。このように、バッテリセル２００の三つの側部２２０，２３０，２４０を支持することによって、バッテリセル２００をさらに安定して支持することができる。
【００３８】
図５Ａ及び図５Ｂは、図１のＶ−Ｖ線の断面図であって、フレームとバッテリセルの組立を説明するための図面である。
図５Ａ及び図５Ｂを参照すれば、フレーム本体１１０から組立開口Ｇに突出した支持部１５０は、バッテリセル２００の側部２３０，２４０を取り囲むように曲面状に形成される。すなわち、前記支持部１５０は、バッテリセル２００の側部２３０，２４０のうち、ラウンド状のコーナー部Ｃを取り囲む曲面状の支持面を提供できる。例えば、前記バッテリセル２００の第３及び第４側部２３０，２４０には、ラウンド状のコーナー部Ｃが形成され、前記支持部１５０は、バッテリセル２００のラウンド状のコーナー部Ｃに密着するように、曲面状の支持面を含む。
【００３９】
例えば、前記支持部１５０は、フレーム本体１１０から柔らかな曲面に沿って、組立開口Ｇに突出する形状を有する。このように、バッテリセル２００の外面に密着して、バッテリセル２００を支持することによって、バッテリセル２００とフレーム１００との遊隔によるバッテリセル２００の遊動を防止することができ、バッテリセル２００を安定して支持することができる。曲面状にラウンド状に形成された支持部１５０は、全体のバッテリパックの薄型化に寄与できる。
【００４０】
図６は、本発明と対比されるバッテリパックを説明するための図面である。図６に示すように、比較例では、バッテリセル２０がはめ込まれて組み立てられたフレーム１０上に、テープ１５を付着して、バッテリセル２０がフレーム１０から離脱しないように、フレーム１０上に固定する。しかし、かかるテーピングによる付着方式では、テーピングによるバッテリセル２０の外面にしわが形成され、外観品質が低下するという問題が生じる。また、テーピング作業の特性上、一旦付着されたテープ１５を脱着して再作業することが困難であるので、作業性が低下する。また、テープ１５による付着方式では、テープ１５の粘着強度によって、外部衝撃によりフレーム１０からバッテリセル２０が脱落する恐れがある。
【００４１】
図５Ａ及び図５Ｂに例示された本発明では、フレーム１００に一体的に支持部１５０を形成することによって、テープのような別途の部材が不要であり、テーピング作業が省略されて、全体工程数が減少する。また、テーピングによる品質低下問題が基本的に解消される。例えば、前記支持部１５０は、射出成形を通じて、フレーム１００上に一体に形成され、バッテリセル２００を支持するための更なる工程や部品は不要である。このように、フレーム１００上に一体に形成された支持部１５０を通じて、バッテリセル２００を支持することによって、外部の衝撃や振動にもかかわらず、高い信頼度でバッテリセル２００を安定して支持することができる。
【００４２】
図７は、本発明と対比される他のバッテリパックを示す図面である。図７に示した比較例において、バッテリセル２０の側部を取り囲む支持部５は、曲面状ではない折り曲げられた形状に形成される。すなわち、前記支持部５は、フレーム本体１から折り曲げられた方向に延びて、フレーム本体１から分岐されるので、支持部５が適正以上の厚さＴｓに厚く形成される必要がある。すなわち、フレーム本体１から分岐されて、組立開口Ｇ１に向かって突出する支持部５が薄く形成されれば、バッテリセル２０を安定して支持できず、外部荷重により容易に破断される恐れがあるので、支持部５を適正以上の厚さＴｓに厚く形成する必要がある。その場合、全体のバッテリパックの厚さＴａは、バッテリセル２０の厚さと、支持部５の厚さＴｓの和となるので、全体のバッテリパックの厚さが増大する。
【００４３】
しかし、図５Ａ及び図５Ｂに示した本発明において、前記支持部１５０は、フレーム本体１１０から分岐されず、フレーム本体１１０と一体に形成されるので、支持部１５０自体の機械的な強度を考慮する必要がなく、前記支持部１５０により、バッテリパックの全厚に加えられる部分が実質的にないので、バッテリパックの薄型化が可能になる。バッテリパックの薄型化にもかかわらず、前記支持部１５０は、十分な強度でバッテリセル２００を支持することができ、外部荷重に対する十分な耐久性を有することができる。
【００４４】
図５Ａ及び図５Ｂを参照すれば、前記支持部１５０は、バッテリセル２００の側面羽根部２０１を絶縁及び保護する機能を兼ねる。前述したように、前記支持部１５０は、前記バッテリセル２００の側部２３０，２４０を取り囲むように形成される。その時、前記支持部１５０は、バッテリセル２００の側部２３０，２４０に形成された側面羽根部２０１を取り囲み、外部環境から側面羽根部２０１を保護及び絶縁させる。  例えば、前記側面羽根部２０１は、前記支持部１５０上に当接し、支持部１５０のラウンド状に沿って曲面状に変形される。
【００４５】
例えば、前記側面羽根部２０１は、ポーチ２０５の溶融接合部を、バッテリセル２００の第３及び第４側部２３０，２４０上に折り曲げ、バッテリセル２００の外形をコンパクト化させる。その時、支持部１５０が、側面羽根部２０１をバッテリセル２００の第３及び第４側部２３０，２４０と共に取り囲み、側面羽根部２０１をバッテリセル２００の側部２３０，２４０上に密着させる。例えば、側面羽根部２０１の支持が不足したり、正しい位置が定義されなければ、側面羽根部２０１の遊動やガタツキにより、周辺構成との干渉を引き起こす。
【００４６】
前記側面羽根部２０１のエッジを通じては、ポーチ２０５の断面形状がそのまま露出され、例えば、金属シート（図示せず）の両側に、絶縁シート（図示せず）が積層された断面が露出される。その時、側面羽根部２０１のエッジが周辺構成に導電的に接触する場合、電気的な短絡を起こして、全体のバッテリパックの充放電動作に悪影響を及ぼす。
【００４７】
本発明では、前記側面羽根部２０１を、バッテリセル２００の側部２３０，２４０と共に取り囲む形態の支持部１５０を通じて、側面羽根部２０１を絶縁及び保護することができ、従来の側面羽根部２０１を、バッテリセル２００の側部２３０，２４０に付着するためのテープ部材を省略できる。
【００４８】
再び図１を参照すれば、複数のバッテリセル２００は、リードプレート４１０，４２０により、直列、並列または直並列に互いに電気的に連結される。前記リードプレート４１０，４２０を通じて、複数のバッテリセル２００は、電気的にモジュール化される。
【００４９】
例えば、各バッテリセル２００の第１側部２１０には、第１電極タブ２１１及び第２電極タブ２１２が形成される。その時、前記リードプレート４１０，４２０は、バッテリセル２００の第１側部２１０に沿って一方向に延びており、互いに隣接したバッテリセル２００の第１及び第２電極タブ２１１，２１２と電気的に連結される。例えば、前記リードプレート４１０，４２０は、電流パスを形成する少なくとも一つ以上の導電性プレート（図示せず）と、前記導電性プレートの外面に被覆された絶縁テープ（図示せず）とを含む。
【００５０】
前記リードプレート４１０，４２０の一端は、保護回路モジュール４００に接続される。例えば、前記保護回路モジュール４００は、温度、電圧、電流のようなバッテリセル２００の状態変数を測定して、バッテリセル２００の動作をモニタリングし、モニタリングされた結果によって、バッテリセル２００の充放電動作を制御する制御部の機能を遂行する。
【００５１】
前記リードプレート４１０，４２０は、保護回路モジュール４００と、前記保護回路モジュール４００の一側に配置された一群のバッテリセル２００とを電気的に連結する第１リードプレート４１０、及び前記保護回路モジュール４００と、前記保護回路モジュール４００の他側に配置された一群のバッテリセル２００とを電気的に連結する第２リードプレート４２０を含む。
【００５２】
例えば、各バッテリセル２００から集合された放電電流は、リードプレート４１０，４２０を通じて、保護回路モジュール４００に入力され、保護回路モジュール４００を通じて、セット機器（図示せず）と連結される。このために、前記保護回路モジュール４００には、セット機器との電気的な接続のための接続部材４５０が連結される。例えば、前記接続部材４５０は、複数の配線を含む。例えば、前記バッテリパックは、セット機器に内蔵されて電源装置を形成し、信号伝達及び電源供給のための複数の配線を含む接続部材４５０を通じて、セット機器と電気的に連結される。
【００５３】
本発明の他の実施形態において、前記接続部材４５０は、複数の配線がパターン化された印刷回路基板を含み、より具体的には、フレキシブル印刷回路基板(Flexible Printed Circuit Board: FPCB)を含む。一方、前記接続部材４５０の一端には、セット機器との電気的な接続のためのコネクタ４６０が設けられる。
【００５４】
図１に例示されたバッテリパックは、フレーム１００の第１面１００ａを覆うように配置される絶縁プレート３００を含む。前記絶縁プレート３００は、バッテリセル２００がフレーム１００上から離脱しないように、フレーム１００の第１面１００ａを覆うように配置される。例えば、前記バッテリセル２００は、フレーム１００の支持部１５０上に載置され、前記絶縁プレート３００は、前記バッテリセル２００を覆うように配置され、バッテリセル２００がフレーム１００から離脱することを防止できる。
【００５５】
例えば、前記バッテリセル２００は、前記フレーム１００の第１面１００ａ側に配置された絶縁プレート３００と、前記フレーム１００の第２面１００ｂ側に形成された支持部１５０とを通じて、フレーム１００から離脱しないように、フレーム１００上に堅固に位置固定される。このために、前記絶縁プレート３００は、支持部１５０が形成されたフレームの第２面１００ｂ側と対面する、フレーム１００の第１面１００ａ側に配置される。前記絶縁プレート３００は、前記フレーム１００の第１面１００ａを覆うように配置され、少なくともバッテリセル２００に対応するフレーム１００の第１面１００ａを覆うように配置される。
【００５６】
例えば、前記絶縁プレート３００は、前記フレーム１００上に組み立てられたり、フレーム３００上に接着固定される。前記絶縁プレート３００は、ポリエチレンテレフタレート（ＰＥＴ）のような絶縁性素材で形成され、全体的に板状に形成される。
【００５７】
本発明は、図面に示した実施形態を参照して説明されたが、それは、例示的なものに過ぎず、当業者ならば、それから多様な変形及び均等な他の実施形態が可能であるという点を理解できるであろう。したがって、本発明の真の技術的保護範囲は、特許請求の範囲の技術的思想により決まらなければならない。
【産業上の利用可能性】
【００５８】
本発明は、例えば、電源供給関連の技術分野に適用可能である。
【符号の説明】
【００５９】
１００    フレーム
１００ａ    フレームの第１面
１００ｂ    フレームの第２面
１０１    隔壁
１１０    フレーム本体
１５０    支持部
１５０ａ    追加支持部
２００    バッテリセル
２０１    側面羽根部
２１０    第１側部
２１１    第１電極タブ
２１２    第２電極タブ
２２０    第２側部
２３０    第３側部
２４０    第４側部
３００    絶縁プレート
４００    保護回路モジュール
４１０    第１リードプレート
４２０    第２リードプレート
４５０    接続部材
４６０    コネクタ
Ｂ    回路載置部
Ｃ    バッテリセルのコーナー部
Ｐ    折曲ポイント
【図１】
2014236003.tif 000003
【図２】
2014236003.tif 000004
【図３】
2014236003.tif 000005
【図４】
2014236003.tif 000006
【図５Ａ】
2014236003.tif 000007
【図５Ｂ】
2014236003.tif 000008
【図６】
2014236003.tif 000009
【図７】
2014236003.tif 000010